(57)【要約】【課題】  ＳＩＰはリアルタイム通信のためのセッションの生成・変更・切断を行うプロトコルであり、Ｔ．３８は従来のＧ３ＦＡＸ（Ｔ．３０）の信号をＩＰ網上でＩＰメッセージに変換してリアルタイム伝送するプロトコルである。その為、ＩＰ−ＦＡＸの開発においては、従来のＧ３ＦＡＸの資産を活用した効率的な開発が必要である。更には、ＩＰ−ＦＡＸと既存のＧ３ＦＡＸの共存する形で提供されることが求められる。【解決手段】  ＳＩＰもＴ．３８もＡＴコマンド・ベースで制御するものとし、物理層がモデム／ＮＣＵでもＮＩＣでもプロトコル層からは同様に制御可能にする。回線制御タスク／通信制御タスク（プロトコル層）とＮＩＣ（物理層）との間にＡＴコマンド−ＳＩＰ変換、ＡＴコマンド−Ｔ．３８変換を行う変換処理タスクを追加する。【選択図】  図２
2012090220.tif 000002
【特許請求の範囲】
【請求項１】
ＩＰ網を制御するネットワーク伝送制御手段、
アナログ回線を制御する網制御手段、
ＩＴＵ−Ｔ勧告Ｔ．３０に準拠したＧ３ファクシミリの通信制御を行いモデム／ＮＣＵを制御するためのＡＴコマンドを生成又はモデム／ＮＣＵからのＡＴコマンドに応じた通信制御を行うファクシミリ通信制御手段、
発信／着信のアナログ回線の制御を行うためモデム／ＮＣＵを制御するためのＡＴコマンドを生成又はモデム／ＮＣＵからのＡＴコマンドに応じた回線制御を行う回線制御手段を持つ通信装置において、
前記ファクシミリ通信制御手段からのＡＴコマンドをＩＴＵ−Ｔ勧告Ｔ．３８に準拠したリアルタイム型インターネットファクシミリ手順を行うＴ．３８メッセージに変換し前記ネットワーク伝送制御手段に通知する、またネットワーク伝送制御手段で受信したＴ．３８メッセージを前記通信制御手段が解釈できるＡＴコマンドに変換するＡＴコマンド−Ｔ．３８変換手段と、
前記回線制御手段からのＡＴコマンドをセッションの生成・切断を行うＳＩＰメッセージに変換し前記ネットワーク伝送制御手段に通知する、またネットワーク伝送制御手段で受信したＳＩＰメッセージを前記回線制御手段が解釈できるＡＴコマンドに変換するＡＴコマンド−ＳＩＰ変換手段を持つことを特徴とするリアルタイム型インターネットファクシミリ装置。
【発明の詳細な説明】
【技術分野】
【０００１】
本発明は、データ通信に関し、公衆回線網で通信を行うＧ３ファクシミリ（Ｔ．３０勧告準拠）に加えて、ＩＰ網に接続可能なＩＴＵ−Ｔ勧告Ｔ．３８に準拠したファクシミリ通信を行うリアルタイム型インターネットファクシミリ装置に関するものである。特に、ＡＴコマンドを利用したＧ３ファクシミリモデム制御を行うファクシミリ制御部（Ｔ．３０制御部）を、Ｔ．３８通信を行うリアルタイム型インターネットファクシミリで有効に利用するためのものである。
【背景技術】
【０００２】
近年、インターネットやＩＰ電話の普及からファクシミリ通信の通信経路としてインターネットやＩＰ網を利用する方法が確立されてきており、Ｈ．３２３やＳＩＰ（Ｓｅｓｓｉｏｎ  Ｉｎｉｔｉａｔｉｏｎ  Ｐｒｏｔｏｃｏｌ）といったリアルタイム通信のためのセッションの生成・変更・切断を行う呼制御を行うプロトコルや、Ｇ３ファクシミリ（Ｔ．３０）の信号をＩＰ網上でＩＰメッセージに変換してリアルタイム伝送を行うＴ．３８プロトコルが勧告化されている。
【０００３】
これらＩＰ網上のプロトコル技術の標準化と構内ＩＰ網の普及やこれまでのアナログ電話網がＮＧＮ（Ｎｅｘｔ  Ｇｅｎｅｒａｔｉｏｎ  Ｎｅｔｗｏｒｋ）といったＩＰ技術を利用した次世代通信ネットワークに置き換わっていくのを契機に、これまでのアナログ回線でのファクシミリ通信に加えてＳＩＰプロトコルとネットワークの帯域が少なくてすむＴ．３８プロトコルに対応したリアルタイム型のインターネットファクシミリの対応が求められている。
【０００４】
ＡＴコマンド利用したＩＴＵ−Ｔ勧告Ｔ．３８準拠のネットワークファクシミリ装置の従来例としては、特許文献１のものがある。
【先行技術文献】
【特許文献】
【０００５】
【特許文献１】特開２００１−１９７２８０号公報
【発明の概要】
【発明が解決しようとする課題】
【０００６】
特許文献１のネットワークファクシミリ装置は、疑似ファクシミリモデム手段に接続してモデムコマンド及びＧ３ファクシミリ手順コマンドでファクシミリ通信を行うファクシミリ通信手段を備えている。そしてファクシミリ通信手段から疑似ファクシミリモデムへ送出されるデータは、パケット通信ネットワーク伝送制御手段を介して相手端末へ送出されＴ．３８に準拠した伝送手順を適用する。
【０００７】
これに対して本発明は、モデム及びＮＣＵに対する回線制御用のＡＴコマンドをＳＩＰプロトコルに相互に変換する手段を設け、通信制御用のＡＴコマンド−Ｔ．３８変換処理と合わせて利用している。これにより従来の回線制御系のダイヤル制御部や電話制御部をアナログ回線制御とＩＰ回線制御で共有して利用している。
【０００８】
これまで述べたようにリアルタイム型インターネットファクシミリは、従来のＧ３ファクシミリが公衆回線上で行っていた網制御（発信／着信／切断）をＩＰ網上でセッションの生成・変更・切断を行うＳＩＰ等の呼制御プロトコルに、Ｇ３ファクシミリの通信手順であるＴ．３０プロトコルをＩＰ網上でＩＰメッセージに変換してリアルタイム伝送を行うＴ．３８プロトコルに、置き換えて通信を行う通信装置である。
【０００９】
そのためリアルタイム型インターネットファクシミリの開発においてはＧ３ファクシミリの資産を活用した効率的な開発が求められる。また、従来のＧ３ファクシミリとの交信性を確保するためにもリアルタイム型インターネットファクシミリ機能と従来のＧ３ファクシミリ機能は共存する形で提供することが必要である。
【課題を解決するための手段】
【００１０】
上述した課題・問題点を解決するために、本発明は、
ＩＰ網を制御するネットワーク伝送制御手段、ＰＳＴＮ等のアナログ回線を制御する網制御手段、ＩＴＵ−Ｔ勧告Ｔ．３０に準拠したＧ３ファクシミリの通信制御を行いモデム／ＮＣＵを制御するためのＡＴコマンドを生成又はモデム／ＮＣＵからのＡＴコマンドに応じた通信制御を行うファクシミリ通信制御手段、発信／着信等のアナログ回線の制御を行うためモデム／ＮＣＵを制御するためのＡＴコマンドを生成又はモデム／ＮＣＵからのＡＴコマンドに応じた回線制御を行う回線制御手段を持つ通信装置において、
前記ファクシミリ通信制御手段からのＡＴコマンドをＩＴＵ−Ｔ勧告Ｔ．３８に準拠したリアルタイム型インターネットファクシミリ手順を行うＴ．３８メッセージに変換し前記ネットワーク伝送制御手段に通知する、またネットワーク伝送制御手段で受信したＴ．３８メッセージを前記通信制御手段が解釈できるＡＴコマンドに変換するＡＴコマンド−Ｔ．３８変換手段と、
前記回線制御手段からのＡＴコマンドをセッションの生成・切断を行うＳＩＰメッセージに変換し前記ネットワーク伝送制御手段に通知する、またネットワーク伝送制御手段で受信したＳＩＰメッセージを前記回線制御手段が解釈できるＡＴコマンドに変換するＡＴコマンド−ＳＩＰ変換手段を持つことを特徴とするリアルタイム型インターネットファクシミリ装置を採用した。
【発明の効果】
【００１１】
リアルタイム型インターネットファクシミリのＳＩＰプロトコルおよびＴ．３８プロトコルをＡＴコマンドベースで制御し、ＡＴコマンド−ＳＩＰ変換、ＡＴコマンド−Ｔ．３８変換を行うことにより、従来のＧ３ファクシミリと同じＴ．３０のプロトコル層のアプリケーションでリアルタイム型インターネットファクシミリの制御を行うことができ、最小のソフトウエア構成でリアルタイム型インターネットファクシミリ装置と従来のＧ３ファクシミリ装置を共存する形で提供することができる。
【図面の簡単な説明】
【００１２】
【図１】本発明の実施例１に係わる通信装置の構成を示すブロック図である。
【図２】本発明の実施例１における、Ｇ３ファクシミリのアプリケーションをリアルタイムインターネットファクシミリと共有して実行する様子を示した簡単なソフトウエア構成図である。
【図３】本発明の実施例１における、従来Ｇ３ファクシミリを制御しているＡＴコマンドを、ＳＩＰプロトコル及びＴ．３８プロトコルに変換してリアルタイム型インターネットファクシミリ通信を行う様子を示すシーケンス図である。
【図４】本発明の実施例１における、通信及び回線制御部がＡＴコマンドを通知する処理を示すフローチャートである。
【図５】本発明の実施例１における、ＡＴコマンド−ＳＩＰ／Ｔ．３８変換部がコマンド及びメッセージを変換して通知する処理を示すフローチャートである。
【発明を実施するための形態】
【００１３】
［実施例１］
以下、第１図，第２図，第３図，第４図，第５図に示す実施例に基づき、本発明を実施するための最良の形態について図面を用いて説明する。
【００１４】
第１図は、本発明の一実施例による通信装置の構成を示すブロック図である。
【００１５】
第１図において、
１０１：ＣＰＵは、システム制御部であり、装置全体を制御する。
【００１６】
１０２：ＲＯＭは、ＣＰＵの制御プログラムを格納するものである。
【００１７】
１０３：ＲＡＭは、ＳＲＡＭ等で構成され、画像データを蓄積する為のものである。
【００１８】
１０４：画像メモリは、ＤＲＡＭ等で構成され、画像データを蓄積する為のものである。
【００１９】
１０５：解像度変換処理部は、ラスタデータのミリ−インチ解像度変換等の解像度変換制御を行うものである。
【００２０】
１０６：読取・記録用符号化復号化処理部（読取・記録用コーデック）は、通信装置で扱う画像データの符号化復号化処理を行う。
【００２１】
１０７：時計部は、動作間隔等を計測し、ＩＣ等で構成される。
【００２２】
１０８：モデムは、回線からの変調された信号を復調したり、逆に装置からの信号を変調し回線に送出するものである。
【００２３】
１０９：回線ｉ／ｆ部は、ＮＣＵ等で構成される制御部である。電話機の接続端子が２個の場合には、夫々の端子でオフフック／オンフック検知をするために接続端子毎にフック検知回路を有する。
【００２４】
１１０：ＰＳＴＮ等のアナログ回線である。
【００２５】
１１１：ネットワークを制御するためのＬＡＮ  Ｉ／Ｆである。
【００２６】
１１２：構内ＩＰまたはＮＧＮ等のＩＰ網を示す。
【００２７】
１１３：画像処理部は、スキャナによって読み込まれた画像データに補正処理を施して高精細な画像データを出力するものである。
【００２８】
１１４、１１５：シートスキャナ、ブックスキャナは、ＣＳイメージセンサ、原稿搬送機構などで構成され、原稿を光学的に読み取って電気的な画像データに変換するものである。両面原稿の読み取りを行う。
【００２９】
１１６：操作部は、キーボード、表示部等で構成され、オペレータが各種入力操作を行うためのものである。ハンドセットがオフフック時に即時ダイヤル操作可能を示し。また、外付け電話機がオフフック時には、通信中であること
の表示及び通信予約受け付け可能なことを表示する。
【００３０】
１１７：ラインバッファは。画像データの転送制御を行う場合に使用するするラインバッファである。
【００３１】
１１８：プリントバッファは、印字用文字コードを格納する為の１ページ分のバッファメモリである。
【００３２】
１１９：プリンタは、受信画像やファイルデータを普通紙に記録するＬＢＰ等のプリンタであり、両面記録を行うことができる。
【００３３】
第２図は、本発明の実施例１における、Ｇ３ファクシミリの回線制御部および通信制御部をリアルタイムインターネットファクシミリと共有して実行する
様子を示した簡単なソフトウエア構成図である。
【００３４】
Ｇ３ファクシミリ送信の場合には、操作部から送信操作を行うと、ジョブ制御部でＦＡＸ送信ジョブが生成され、ＦＡＸ通信管理部へ通知される。ＦＡＸ通信管理部は回線管理部に対して発信処理を依頼し、回線管理部はダイヤル制御部からＡＴコマンドでモデム／ＮＣＵに対してダイヤル操作を行うように通知する。発信が終了し相手先と接続されるとＦＡＸ通信管理部は、通信管理部からＦＡＸ通信制御部を起動させＴ．３０プロトコルの制御をＡＴコマンドでモデム／ＮＣＵに対して行いＧ３ファクシミリ通信を実行する。
【００３５】
また、リアルタイム型インターネットファクシミリの送信の場合には、操作部からＩＰ網選択またはＳＩＰプロトコル選択等の手段によりリアルタイム型インターネットファクシミリ通信が選択される。ジョブ制御部でリアルタイム型インターネットファクシミリ送信ジョブが生成され、ＦＡＸ通信管理部へ通知される。ダイヤル制御部は、通信回線の判断を行いＡＴコマンドの通知先をＡＴコマンド−ＳＩＰ変換部へ通知する。ＡＴコマンド−ＳＩＰ変換部で作成されたＳＩＰメッセージはＮＩＣを通してＬＡＮ（ＩＰ網）へ送信される。ＳＩＰプロトコルにより相手先とのセッションが生成されると、ＦＡＸ通信制御部は通信回線の判断を行いＴ．３０制御のＡＴコマンドをＡＴコマンド−Ｔ．３８変換部に通知し接続相手先とＴ．３８によるリアルタイム型インターネットファクシミリ手順を行う。」
第３図は、本発明の実施例１における、従来Ｇ３ファクシミリを制御している。
【００３６】
ＡＴコマンドを、ＳＩＰプロトコル及びＴ．３８プロトコルに変換してリアルタイム型インターネットファクシミリ通信を行う様子を示すシーケンス図である。
【００３７】
ジョブ制御部からの装置内部のタスク間で通知されるコマンドを呼制御／通信制御部はＡＴコマンドに変換する。ＡＴコマンド−ＳＩＰ／Ｔ．３８変換部は、ＡＴコマンドをＳＩＰメッセージやＴ．３８メッセージに変換してＩＰ網へ送出しＳＩＰサーバや通信相手先と通信を行う。
【００３８】
第４図は、本発明の実施例１における、通信及び回線制御部がＡＴコマンドを通知する処理を示すフローチャートである。
【００３９】
操作部での操作時に通信相手先によりアナログ回線又はＩＰ回線の指定を受けると送信ジョブに回線種別（Ｇ３／ＳＩＰ）情報が反映され（Ｓ１）、ダイヤル制御部またはＦＡＸ通信制御部で回線種別の判断を行う（Ｓ２）。回線種別がＧ３の場合には、モデム／ＮＣＵへＡＴコマンドを通知する（Ｓ３）。回線種別がＳＩＰの場合には、ＮＷ  Ｉ／Ｆ側にＡＴコマンドを通知する。
【００４０】
第５図は、本発明の実施例１における、ＡＴコマンド−ＳＩＰ／Ｔ．３８変換部がコマンド及びメッセージを変換して通知する処理を示すフローチャートである。
【００４１】
ＡＴコマンド−ＳＩＰ／Ｔ．３８変換部は、コマンド又はメッセージを受信すると（Ｓ１１）、アナログ回線を利用する通信かＮＷ  Ｉ／Ｆを利用する通信かの判断を行う（Ｓ１２）。ＮＷ  Ｉ／Ｆを利用する通信の場合には、ＳＩＰメッセージかＴ．３８メッセージかの判断を行う（Ｓ１３）。ＳＩＰメッセージの場合には、受信したＳＩＰメッセージに対応する回線制御ＡＴコマンドを作成し（Ｓ１４）、回線制御部へＡＴコマンドを通知する（Ｓ１５）。（Ｓ１３）にて受信したメッセージがＴ．３８メッセージの場合には、通信制御のＡＴコマンドを作成し（Ｓ１６）、通信制御部へＡＴコマンドを通知する（Ｓ１７）。（Ｓ１２）において上位アプリ層（ダイヤル制御部及びＦＡＸ通信制御部）からのコマンドの場合には、回線制御ＡＴコマンドか通信制御ＡＴコマンドかの判断を行う（Ｓ１８）。回線制御のＡＴコマンドの場合には、ＡＴコマンドに対応するＳＩＰメッセージを作成し（Ｓ１９）、ＮＷ  Ｉ／Ｆへ作成したＳＩＰメッセージを通知する（Ｓ２０）。（Ｓ１８）にて通信制御のＡＴコマンドの場合には、Ｔ．３８メッセージを作成して（Ｓ２１）、ＮＷ  Ｉ／Ｆへ作成したＳＩＰメッセージを通知する（Ｓ２２）。
【符号の説明】
【００４２】
１０１        ＣＰＵ
１０２        ＲＯＭ
１０３        ＲＡＭ
１０４        蓄積メモリ（画像メモリ）
１０５        解像度変換処理部
１０６        読取記録用符号化複
１０７        時計部
１０８        モデム
１０９        ＮＣＵ（回線ｉｆ部）
アナログ電話回線
ＬＡＮ  Ｉ／Ｆ
１１２        ＩＰネットワーク
１１３        画像処理部
１１４        シートスキャナ
１１５        ブックスキャナ
１１６        操作部
１１７        ラインバッファ
１１８        プリントバッファ
１１９        プリンタ
【図１】
2012090220.tif 000003
【図２】
2012090220.tif 000004
【図３】
2012090220.tif 000005
【図４】
2012090220.tif 000006
【図５】
2012090220.tif 000007